(57)【特許請求の範囲】
【請求項１】
建造物の開口部に設置される扉本体の内部に耐圧強度のための構造を備えた両開き扉において、当該両開き扉の外側の外表面に扉外側の水平リブを設けると共に、前記両開き扉の内側の外表面であってヒンジを含む回転軸に近い位置に扉内側の水平リブを設け、閉じた扉に加わる扉外側からの力を、前記扉外側の水平リブを含む扉を通して前記扉内側の水平リブから当該扉を取付けている建造物躯体に伝えるようにしたことを特徴とする大きな外力を考慮した両開き扉。
【請求項２】
前記扉外側の水平リブを扉の上下方向に複数個設けると共に各水平リブの端部かつ扉同士が対面する位置に補強リブを設け、前記補強リブから前記扉外側の水平リブに伝わった力を、前記扉外側の水平リブを含む扉を通して前記扉内側の補強リブと水平リブから当該扉を取付けている建造物躯体に伝えるようにした請求項１の大きな外力を考慮した両開き扉。
【請求項３】
両開き扉同士の突合せ面の当接および、当該扉と建造物躯体との当接によって、閉じた扉に加わる扉外側からの力を、建造物躯体に伝えるようにした請求項１又は２の大きな外力を考慮した両開き扉。
【請求項４】
建造物の開口部に設置される扉本体の内部に耐圧強度のための構造を備えた両開き扉において、前記扉の外側の外表面に設ける扉外側の水平リブは、左右の扉ともその扉の左右幅と略同幅の長さを有するリブであり、前記扉の内側の外表面に設ける扉内側の水平リブは扉のヒンジを含む回転軸に近い位置に設ける短い長さのリブであり、閉じた扉に加わる扉外側からの力を、前記扉外側の水平リブを含む扉を通して前記扉内側の水平リブから当該扉を取付けている建造物躯体に伝えるようにしたことを特徴とする大きな外力を考慮した両開き扉。
【発明の詳細な説明】
【技術分野】
【０００１】
本発明は、建造物用の開口部に設置して好適な、大きな外力に耐え得る構造を備えた両開き扉に関する。
【背景技術】
【０００２】
発電所建屋などのような大型建造物の開口部に設けられる両開き扉は、大きな開口部に見合うような大型の両開き扉が設けられる。
【０００３】
しかし乍ら、大型開口部に設けられた両開き扉のように、扉の面積が大きいと津波などの大きな力に扉本体が対応できず、扉の損壊を招いて水の浸入等を防ぐことができないという問題がある。
【０００４】
この問題に対しては、扉自体にその耐圧強度を高める構造を採用したり、両開き扉の開閉機構乃至開閉構造に工夫を凝らすことによって、扉の耐圧性能を高めた技術が先行技術文献１，２などにより提案されている。
【０００５】
しかし、いずれの技術も扉の構造が複雑になる難点のほか、既設の扉には適用し難いか事実上適用できないという問題がある。
【先行技術文献】
【特許文献】
【０００６】
【特許文献１】特開平９−１３８３２号公報
【特許文献２】特許第４５２３１２５号公報
【発明の概要】
【発明が解決しようとする課題】
【０００７】
そこで本発明では、建造物の開口部に設けられる両開き扉において、扉本体の内部構造を複雑化することなく、津波などの強大な圧力に耐えることができる構造であって、既設の扉にも適用できる、大きな外力に対応した構造を備えた両開き扉を提供することを、課題とする。
【課題を解決するための手段】
【０００８】
上記課題を解決することを目的としてなされた本発明の大きな外圧対応できる両開き扉の構成は、建造物の開口部に設置される扉本体の内部に耐圧強度のための構造を備えた両開き扉において、当該両開き扉の外側の外表面に扉外側の水平リブを設けると共に、前記両開き扉の内側の外表面であってヒンジを含む回転軸に近い位置に扉内側の水平リブを設け、閉じた扉に加わる扉外側からの力を、前記扉外側の水平リブを含む扉を通して前記扉内側の水平リブから当該扉を取付けている建造物躯体に伝えるようにしたことを特徴とするものである。
【０００９】
本発明において、前記水平リブは、扉の上下方向に平行な姿勢で複数個設ける。この場合において、扉の外側（室外側）の水平リブは、左右の扉ともその扉の左右幅と略同幅の長さを有するリブを設けるが、扉の内側（室内側）の水平リブは、扉のヒンジを含む開閉軸に近い側に短い長さのリブを設ければ足りる。このことは、扉の内側（室内側）に設ける水平リブが扉の外側に設けるリブと同様に長いリブであることを除外する趣旨ではない。
【００１０】
ここで、上記の水平リブは、扉の左右方向において平面から見た前後幅（形状）がテーパ状であり、そのテーパ状は扉の外側の水平リブは、左右の扉の合せ部側からヒンジ側に向けて平面から見た幅が狭幅になる形状である。しかし、扉の内側の水平リブは扉の外側のリブと異なり逆テーパ状である。
【００１１】
また、上記の水平リブには、垂直姿勢の補強リブを設ける。さらに、複数個設ける水平リブは、扉の上半側の間隔よりも下半側の間隔を狭めて設ける方が好ましい。扉に水圧がかかる場合、水深の深い方（扉の下半側）が水深の浅い方より水圧が高いからである。
【発明の効果】
【００１２】
本発明は、建造物の開口部に設置される両開き扉において、当該両扉の表面に水平リブを設け、閉じた扉に加わる外圧をその扉を通して当該扉を取付けている建造物躯体に伝えるようにしたので、扉に津波などによる強大な圧力が加わっても、その圧力を扉の外側の水平リブで分散支持しつつ扉の内側の水平リブから躯体側に効率よく逃がすことができる。
これにより扉に加わる津波等による強大な圧力によって扉が損壊するのを効果的に防止することができる。
【００１３】
上記効果を発揮する水平リブは、両開き扉の表面（室外側と室内側）に設ければ実現できるので、新設の両開き扉に適用できることは勿論のこと、既設の両開き扉にも後から容易に適用することができるので、便宜である。
【図面の簡単な説明】
【００１４】
【図１】本発明両開き扉の一例の正面図。
【図２】図１の本発明両開き扉の平面図。
【図３】図１，図２の両開き扉を開けた状態の平面図。
【図４】図２の本発明両開き扉に外側（室外側）から水圧等の圧力が加わったときの力の作用状態を模式的に示した平面図。
【図５】図４の要部の拡大平面図。
【発明を実施するための形態】
【００１５】
次に、本発明両開き扉の実施の形態例について、図を参照して説明する。
図１〜図４において、１は建造物（全体の姿は図示せず）の躯体をなす壁など（以下、躯体という）に設けた開口部で、２，３は当該開口部１における左右の縦枠部である。ここでは、左右の縦枠部２，３に左右の扉４，５を開口部に対して開閉自在に支持するための左右のヒンジ６，７が設けられている。図において、６ａ，７ａは各ヒンジ６，７の回転軸であり、各ヒンジ６，７における躯体側の固定部６ｂ，７ｂと扉側の可動部６ｃ，７ｃとの結合部材としての役割もある。
【００１６】
左右の扉４，５は、夫々の扉の外側縁の上，下部に設けられた上下のヒンジ６，７の可動部６ｃ，７ｃにおいて、躯体側の固定部６ｂ，７ｂに回転軸６ａ，７ａを介して取付けられることにより、開口部１に対して左右方向に両開き（図３参照）できる両開き扉として設置される。
【００１７】
本発明は上記の態様で設けられた両開き扉に対して、大きな外力（津波による水圧や台風による風圧など）に対応するための構造を付与したので、以下に図を参照して説明する。なお、以下の説明では、図１，図２，図４において、開口部１における図の上方を室内側（扉４，５では扉の内側という）、図の下方を室外側（扉４，５では扉の外側という）とする。
【００１８】
図において、８，９は、扉４，５の外側に設けた水平リブで、図の例では４個が設けられているが、設けるリブの数は扉４，５の大きさなどに依り任意に設定できる。
【００１９】
扉４，５にそれぞれ設けた４個の水平リブ８，９は、平行姿勢で設けられている。各水平リブ８，９は、扉４，５の上半側では、上下のリブ８，９の間隔が広く、扉の下半側では上下のリブ８，９の間隔が狭くなるように配置されている。扉４，５に津波などによる水圧がかかる場合、水深の深い位置、つまり扉４，５の下半側の方が上半側よりもかかる水圧が高くなるため、この圧力差に対応するため、水平リブの上下方向のピッチを変えているのである。
【００２０】
上記の各水平リブ８，９には、各リブの長さ方向に適宜間隔で複数の垂直姿勢の補強リブ８ａ，９ａが設けられている。
【００２１】
扉４，５の内側であって、それぞれヒンジ６，７に近い側には、扉内側の水平リブ１０，１１が取付けられている。この扉内側の水平リブ１０，１１は、平面から見て大略三角形乃至台形状の板材で形成され、各リブ１０，１１の底辺側（図２の左右の外側端部）には垂直姿勢の補強リブ１０ａ，１１ａが設けられている。
ここで、扉内側の水平リブ１０，１１も、扉外側の水平リブ８，９と同様に扉４，５の高さ方向において当該水平リブ８，９の上，下方向の配置間隔と同じ間隔で設けられている。
【００２２】
各扉４，５の内外面において、水平リブ８，９と同１０，１１を設けた両開き扉４，５は、閉じた状態の正面から見た姿は図１に、平面から見た姿は図２に、それぞれ示す通りである。扉４，５を開いた状態の平面から見た姿は図３に例示する通りである。
【００２３】
上述のように設定された本発明両開き扉に扉４，５が閉じられた状態において、図４の扉４，５の外側に矢印で示すような外力、例えば水圧がかかると、両扉４，５は室内側に向けて水圧による力を受けて各ヒンジ６，７を軸にして室内側に押込まれ加減になる。
【００２４】
このとき、扉４，５の姿勢変化に伴って扉外側の各水平リブ８，９の対面する端部に設けた補強リブ８ａ，９ａは、そのリブ８ａ，９ａの図５における下端部が強く当接することにより、扉４，５の外側に扉面に対して垂直に作用している外力を左右方向に方向変換する（図５の左右方向の矢印参照）。方向変換された力は水平リブ８，９に伝わりそのリブ８，９が支持するので、扉４，５の面に垂直に加わる外力は、水平リブに分散されて、リブ８，９がなければ扉４，５が受けるであろう外力によるダメージを緩和することができる。
【００２５】
一方、ヒンジ６，７の軸６ａ，７ａを介して扉４，５に対する旋回力として作用する外力は、扉内側の水平リブ１０，１１の補強リブ１０ａ，１１ａを介して開口部１の縦枠部２，３に効率よく伝えられるから、ヒンジ６，７が外力によって受けるダメージを緩和することができる。
【００２６】
上記のように、扉４，５の面に対して垂直に加わる外力を、水平リブ８，９、同１０，１１によって方向変換し、扉を通じて躯体に効率よく伝えることができるので、津波などの水圧などによって扉の損壊を招来することがない。
【００２７】
本発明両開き扉における水平リブ８，９、同１０，１１は、扉４，５の外面（室内側と室外側）に後付けによっても取付けることができるから、既設の両開き扉にも容易に取付けることができるので、既設両開き扉の津波対策用の改造に好適である。
【符号の説明】
【００２８】
１      建造物の開口部
２，３  開口部１の縦枠部
４，５  左右の扉（両開き扉）
６，７  扉のヒンジ
８，９  水平リブ
１０，１１  扉内側の水平リブ
【図１】
0006005345.tif 000002
【図２】
0006005345.tif 000003
【図３】
0006005345.tif 000004
【図４】
0006005345.tif 000005
【図５】
0006005345.tif 000006